(57)【要約】【課題】断熱材が経年劣化により下方に収縮しても、ディスク部材が下降して貫通孔から上方にビス頭部が突出することを防止できる防水施工躯体を提供する。【解決手段】固定ビス２００は、大径のビス頭部２１０が小径のビスシャフト２２０の上端に形成されており、ディスク部材１００の貫通孔１１０は、ビスシャフト２２０が挿通されてビス頭部２１０が弾発的に係合する形状に形成されている。このため、例えば、構造物３００の上層となる断熱材３２０が経年劣化により下方に収縮しても、ディスク部材１００が下降してビス頭部２１０が貫通孔１１０から上方に突出しない。【選択図】図１
2012211466.tif 000002
【特許請求の範囲】
【請求項１】
躯体と、
前記躯体の上面に敷設される断熱材と、
前記断熱材の上面に配列される複数のディスク部材と、
前記ディスク部材の貫通孔から前記断熱材を貫通されて前記躯体に固定される固定ビスと、
前記断熱材の上面に敷設されて前記ディスク部材に固着される防水シートと、を有し、
前記固定ビスは、大径のビス頭部が小径のビスシャフトの上端に形成されており、
前記ディスク部材の前記貫通孔は、前記ビスシャフトが挿通されて前記ビス頭部が弾発的に係合する形状に形成されている防水施工躯体。
【請求項２】
前記固定ビスは、前記ビス頭部が下方に先鋭な円錐状の皿ビスからなり、
前記ディスク部材の前記貫通孔は、上下方向の両端が小径で中央が大径の形状に形成されている請求項１に記載の防水施工躯体。
【請求項３】
前記ディスク部材の前記貫通孔は、上下方向の両端が前記ビスシャフトと同等な小径で中央が前記ビス頭部と同等な大径の形状に形成されている請求項２に記載の防水施工躯体。
【請求項４】
前記ディスク部材は、前記ディスク部材の前記貫通孔に係合した前記固定ビスの前記ビス頭部の上部の空隙に弾発的に係合する係合部材を、さらに有する請求項１ないし３の何れか一項に記載の防水施工躯体。
【請求項５】
前記ディスク部材は、少なくとも前記貫通孔が形成されている部分が弾発性を有する材料で形成されている請求項１ないし４の何れか一項に記載の防水施工躯体。
【請求項６】
躯体の上面に断熱材を敷設し、前記断熱材の上面に複数のディスク部材を配列し、前記ディスク部材の貫通孔から前記断熱材を貫通させて前記躯体に固定ビスを固定し、前記断熱材の上面に防水シートを敷設して前記ディスク部材に固着させる躯体防水方法であって、
前記固定ビスは、大径のビス頭部が小径のビスシャフトの上端に形成されており、
前記ディスク部材の前記貫通孔に前記ビスシャフトが挿通されて前記ビス頭部が弾発的に係合する、躯体防水方法。
【請求項７】
躯体の上面に敷設された断熱材の上面に複数が配列され、形成されている貫通孔から前記断熱材を貫通した固定ビスが前記躯体に固定され、前記断熱材の上面に敷設された防水シートが固着されるディスク部材であって、
大径のビス頭部が小径のビスシャフトの上端に形成されている固定ビスが挿通されて躯体の上面に固定され、
前記貫通孔は前記ビス頭部が弾発的に係合する形状に形成されているディスク部材。
【請求項８】
請求項７に記載のディスク部材と、
前記固定ビスと、
を有するディスクセット。
【発明の詳細な説明】
【技術分野】
【０００１】
本発明は、躯体に断熱材と防水シートとが敷設されている防水施工躯体、躯体に断熱材と防水シートとを敷設する躯体防水方法、躯体に敷設された断熱材の上面に固定ビスが挿通されて固定されるディスク部材、このディスク部材と固定ビスからなるディスクセット、に関する。
【背景技術】
【０００２】
従来、構造物の被防水施工面には、シート防水層と同材質の樹脂被覆面やホットメルト系接着剤塗布面を有する平面円形の固定具を複数配置し、それらを固定ビスにより固定し、その上から防水シートなどのシート防水層を設け、固定具とシート防水層を接着、溶着、または高周波誘導加熱による熱融着により、接合してなされる先打ち絶縁工法や、またシート防水層を敷設したのち、固定具を打設し、その後上から補強用の防水シートを固定具上に接着、溶剤溶着を用いて接合する上打ち絶縁工法が、シート防水施工法として採用されている。
【０００３】
最近では建造物における外断熱の効果が認知されており、建物の屋上等においても下地に断熱材を敷設しその上面に防水層を形成する工法が広く採用されている。また建物の屋根に断面凹凸型の折板やデッキプレートで構成することがあり、この場合、屋根に断熱材を敷き詰めることもある。この断熱構造の場合でも、風圧や建物躯体の振動により固定ビスが緩むだけでなく、経年変化による断熱材の痩せによっても、ビス頭が浮いてくると言った不具合が生じる。
【０００４】
上記問題を解決するために、各種の提案がされている(特許文献１〜３)。
【先行技術文献】
【特許文献】
【０００５】
【特許文献１】特開２００７−３２２０６号公報
【特許文献２】特開２００７−１６８６４号公報
【特許文献３】特開２００８−０２１２３号公報
【発明の概要】
【発明が解決しようとする課題】
【０００６】
例えば、特許文献１では固定用ビスのビス頭裏面と固定具のビス頭固定用凹部との間にワッシャを入れている。これは繰り返し疲労を受けたビス頭と、ビス頭固定用凹部の間での破壊は抑えることができるかもしれないが、ビス頭が飛び出しシートを破ることに対しては、防ぐことはできない。特許文献２では、ビス自体のねじ山のサイズを二種類設定することで、緩みを抑えているが、ビス加工が煩雑になり、生産性が低下すると考えられる。特許文献３に関しても、特殊な形状のビスを用いているため生産性が低下すると考えられる。
【０００７】
本発明は上述のような課題に鑑みてなされたものであり、既存の一般的な固定ビスを使用しながら、ビス頭部がディスク部材の貫通孔から突出して防水シートを破断することを防止できるディスク部材、このディスク部材と固定ビスからなるディスクセット、を提供するものである。
【課題を解決するための手段】
【０００８】
本発明の防水施工躯体は、躯体と、躯体の上面に敷設される断熱材と、断熱材の上面に配列される複数のディスク部材と、ディスク部材の貫通孔から断熱材を貫通されて躯体に固定される固定ビスと、断熱材の上面に敷設されてディスク部材に固着される防水シートと、を有し、固定ビスは、大径のビス頭部が小径のビスシャフトの上端に形成されており、ディスク部材の貫通孔は、ビスシャフトが挿通されてビス頭部が弾発的に係合する形状に形成されている。
【０００９】
従って、本発明の防水施工躯体では、躯体の上面に敷設された断熱材の上面に複数が配列され、形成されている貫通孔から断熱材を貫通した固定ビスが躯体に固定され、断熱材の上面に敷設された防水シートが固着される。ただし、ディスク部材の貫通孔にビス頭部が弾発的に係合するので、断熱材が経年劣化により下方に収縮しても、ディスク部材が下降してビス頭部が貫通孔から上方に突出しない。
【００１０】
また、上述のような防水施工躯体において、固定ビスは、ビス頭部が下方に先鋭な円錐状の皿ビスからなり、ディスク部材の貫通孔は、上下方向で両端が小径で中央が大径の形状に形成されていてもよい。
【００１１】
また、上述のような防水施工躯体において、ディスク部材の貫通孔は、上下方向で両端がビスシャフトと同等な小径で中央がビス頭部と同等な大径の形状に形成されていてもよい。
【００１２】
また、上述のような防水施工躯体において、ディスク部材の貫通孔に係合した固定ビスのビス頭部の上部の空隙に弾発的に係合する係合部材を、さらに有してもよい。
【００１３】
また、上述のような防水施工躯体において、少なくとも貫通孔が形成されている部分が弾発性を有する材料で形成されていてもよい。
【００１４】
本発明の躯体防水方法は、躯体の上面に断熱材を敷設し、断熱材の上面に複数のディスク部材を配列し、ディスク部材の貫通孔から断熱材を貫通させて躯体に固定ビスを固定し、断熱材の上面に防水シートを敷設してディスク部材に固着させる躯体防水方法であって、固定ビスは、大径のビス頭部が小径のビスシャフトの上端に形成されており、ディスク部材の貫通孔にビスシャフトが挿通されてビス頭部が弾発的に係合する。
【００１５】
本発明のディスク部材は、躯体の上面に敷設された断熱材の上面に複数が配列され、形成されている貫通孔から断熱材を貫通した固定ビスが躯体に固定され、断熱材の上面に敷設された防水シートが固着されるディスク部材であって、大径のビス頭部が小径のビスシャフトの上端に形成されている固定ビスが挿通されて躯体の上面に固定され、貫通孔はビス頭部が弾発的に係合する形状に形成されている。
【００１６】
本発明のディスクセットは、本発明のディスク部材と、固定ビスと、を有する。
【００１７】
なお、本発明では上下方向を規定しているが、これは本発明の構成要素の相対関係を簡単に説明するために便宜的に規定したものであり、本発明を実施する場合の製造時や使用時の方向を限定するものではない。
【発明の効果】
【００１８】
本発明のディスク部材では、貫通孔にビス頭部が弾発的に係合するので、断熱材が経年劣化により下方に収縮しても、ディスク部材が下降してビス頭部が貫通孔から上方に突出することを防止できる。従って、この突出したビス頭部がディスク部材の上層として敷設された防水シートを破断することを防止できる。
【図面の簡単な説明】
【００１９】
【図１】本発明の実施の形態の防水施工躯体の内部構造を示す模式的な縦断正面図である。
【図２】防水施工躯体の断熱材が収縮した状態を示す模式的な縦断正面図である。
【図３】ディスクセットの構造を示す模式的な縦断正面図である。
【図４】変形例のディスクセットの構造を示す模式的な縦断正面図である。
【図５】他の変形例のディスクセットのディスク部材の構造を示す模式的な縦断正面図である。
【発明を実施するための形態】
【００２０】
本発明の実施の一形態について図面を参照して以下に説明する。なお、本実施の形態では図示するように上下方向を規定して説明する。しかし、これは構成要素の相対関係を簡単に説明するために便宜的に規定するものである。従って、本発明を実施する製品の製造時や使用時の方向を限定するものではない。
【００２１】
本実施の形態の防水施工躯体３００は、躯体３１０と、躯体３１０の上面に敷設される断熱材３２０と、断熱材３２０の上面に配列される複数のディスク部材１００と、ディスク部材１００の貫通孔１１０から断熱材３２０を貫通されて躯体３１０に固定される固定ビス２００と、断熱材３２０の上面に敷設されてディスク部材１００に固着される防水シート３３０と、を有する。
【００２２】
ただし、固定ビス２００は、大径のビス頭部２１０が小径のビスシャフト２２０の上端に形成されており、ディスク部材１００の貫通孔１１０は、ビスシャフト２２０が挿通されてビス頭部２１０が弾発的に係合する形状に形成されている。
【００２３】
より具体的には、図３に示すように、本実施の形態の固定ビス２００は、ビス頭部２１０が下方に先鋭な円錐状の皿ビスからなる。固定ビス２００は、一般的な金属製のものが利用されるが、熱硬化性樹脂、熱可塑性樹脂、エンジニアリングプラスチックなどの樹脂製のものも利用できる。
【００２４】
ディスク部材１００は、貫通孔１１０の上下方向の両端１１１，１１２がビスシャフト２２０と同等な小径で中央１１３がビス頭部２１０と同等な大径の形状に形成されている。
【００２５】
なお、ディスク部材１００は、上述のような貫通孔１１０に固定ビス２００のビス頭部２１０が弾発的に係合するように、弾発的な樹脂材料などで形成されている。また、本実施の形態では省略しているが、実際には断熱材３２０と防水シート３３０との間に絶縁シート(図示せず)を敷設することが一般的である。
【００２６】
上述のような構成において、本実施の形態のディスク部材１００を利用して防水施工躯体３００の防水施工方法を以下に説明する。まず、躯体３１０としては、コンクリート、ＡＬＣ(Autoclaved Lightweight aerated Concrete)、金属などが代表的なものとしてあげられるが、これだけに限らず、これら下地の上に敷設されたアスファルト防水におけるアスファルト、塗膜防水材における塗膜、なども含まれる。
【００２７】
そして、図１に示すように、上述のようなコンクリートなどの躯体３１０の上面にシート状の断熱材３２０が敷設される。この断熱材３２０は、例えば、板厚が２０〜１５０ｍｍの、ポリスチレンフォーム、硬質ウレタンフォーム、フェノールフォーム等からなる。
【００２８】
つぎに、この断熱材３２０を躯体３１０に固定するため、マトリクス構造の交点や必要な箇所ごとに、ディスク部材１００を断熱材３２０の上面に配置する。そして、そのディスク部材１００の貫通孔１１０に固定ビス２００のビスシャフト２２０を挿通させる。
【００２９】
さらに、この固定ビス２００のビスシャフト２２０は断熱材３２０を貫通させる。そして、図１に示すように、固定ビス２００のビスシャフト２２０の先端を躯体３１０に締結させて固定する。
【００３０】
このとき、ビス頭部２１０はディスク部材１００の貫通孔１１０に弾発的に係合することになる。このように全部のディスク部材１００を固定ビス２００で断熱材３２０と躯体３１０とに固定したら、その表面に防水シート３３０を敷設する。
【００３１】
この防水シート３３０は、合成樹脂からなる軟質または半硬質系のシートであり、従来の絶縁工法に常用されているものであれば、どのような材質のものでもよく、例えば軟質塩化ビニル樹脂製シートやオレフィン系樹脂製シートの単層からなるものの他、合成樹脂繊維やガラス繊維などのネットが間に介装され補強された複層のものも好適に用いられる。そのシート厚さについては、１．２〜４ｍｍの範囲のものが好適に採用される。
【００３２】
この防水シート３３０は、例えば、溶剤によりディスク部材１００の上面に溶着される。このとき、ディスク部材１００の表面には防水シート３３０と同一の合成樹脂が被覆されている(図示せず)。
【００３３】
また、高周波誘導加熱による熱融着を行うときにはディスク部材１００の上面にはホットメルト接着剤が積層されている(図示せず)。ホットメルト接着剤は通常利用されるホットメルト接着剤を使用することができる。
【００３４】
さらには、樹脂製のディスク部材１００の最表面を溶融させることで、同一の樹脂でできている防水シート３３０と溶着させることもできるが、ディスク部材１００と防水シート３３０とを固着させる方法は、ここに示した方法に限らない。
【００３５】
上述のような防水施工方法により、躯体３１０の上面に断熱材３２０が敷設されており、この断熱材３２０の上面に複数のディスク部材１００が配列されており、この複数のディスク部材１００から断熱材３２０を貫通した固定ビス２００が躯体３１０に締結されており、最上層に敷設された防水シート３３０がディスク部材１００に固定されている、防水施工躯体３００が完成する。
【００３６】
上述のような防水施工方法により形成された防水施工躯体３００では、防水シート３３０により全体が防水されることになり、断熱材３２０により躯体３１０が外断熱されることになる。
【００３７】
しかし、上述のような防水施工方法により形成された防水施工躯体３００では、図２に示すように、断熱材３２０が経年劣化により下方に収縮することがある。しかし、本実施の形態のディスク部材１００では、その貫通孔１１０にビス頭部２１０が弾発的に係合している。
【００３８】
このため、構造物３００の上層となる断熱材３２０が経年劣化により下方に収縮しても、ディスク部材１００が下降してビス頭部２１０が貫通孔１１０から上方に突出しない。従って、この突出したビス頭部２１０がディスク部材１００の上層として敷設された防水シート３３０を破損することを防止できる。
【００３９】
特に、本実施の形態のディスク部材１００では、貫通孔１１０は、上下方向の両端１１１，１１２がビスシャフト２２０と同等な小径で中央１１３がビス頭部２１０と同等な大径の形状に形成されている。
【００４０】
このため、ビスシャフト２２０をディスク部材１００の貫通孔１１０に円滑に挿通させることができ、ビス頭部２１０をディスク部材１００の貫通孔１１０に良好に係合させることができる。
【００４１】
なお、本発明は本実施の形態に限定されるものではなく、その要旨を逸脱しない範囲で各種の変形を許容する。例えば、上記形態の防水施工躯体３００では、ディスク部材１００の異形の貫通孔１１０の下半部に固定ビス２００のビス頭部２１０が係合することのみ例示した。
【００４２】
しかし、図４に例示するディスクセットのように、ビス頭部２１０が係合した固定ビス２００の貫通孔１１０の上部の空隙に弾発的に係合する係合部材４００を、さらに有してもよい。
【００４３】
この場合、ビス頭部２１０がディスク部材１００の貫通孔１１０から突出することを、より確実に防止することができる。さらに、ディスク部材１００の上面を係合部材４００で面一とすることができるので、防水シート３３０の溶着を、より確実とすることもできる。
【００４４】
また、上記形態ではディスク部材１００が弾発性を有する樹脂部材で形成されていることを想定した。しかし、ディスク部材１００には強度も要求されるため、例えば、図５に示すように、貫通孔１１０が形成されている部分と表面とが樹脂部材１２０で形成されており、これが金属製のディスク部材１３０に一体化されていてもよい。
【００４５】
このようなディスク部材１３０では、全体の強度を金属製のディスク部材１３０で確保することができ、貫通孔１１０の弾発性を樹脂部材１２０で確保することができる。さらに、表面も樹脂部材１２０が被覆されているので、防水シート３３０を良好に溶着することができる。また、樹脂部材１２０は通常利用可能なホットメルト接着剤を用いることで、高周波による熱融着が可能となる。
【００４６】
さらに、上記形態では躯体３１０と断熱材３２０との水平な平場に、上方からディスク部材１００を固定して防水シート３３０を敷設することを例示した。しかし、傾斜したルーフ表面にディスク部材１００を固定して防水シート３３０を敷設してもよく、垂直な立上りの表面にディスク部材１００を固定して防水シート３３０を敷設してもよい(ともに図示せず)。
【符号の説明】
【００４７】
１００    ディスク部材
１１０    貫通孔
１１１，１１２    両端
１１３    中央
１２０    樹脂部材
１３０    ディスク部材
２００    固定ビス
２１０    ビス頭部
２２０    ビスシャフト
３００    防水施工躯体
３１０    躯体
３２０    断熱材
３３０    防水シート
４００    係合部材
【図１】
2012211466.tif 000003
【図２】
2012211466.tif 000004
【図３】
2012211466.tif 000005
【図４】
2012211466.tif 000006
【図５】
2012211466.tif 000007